(57)【要約】      （修正有）【課題】単純な器具を使用して仰向きの楽な姿勢で身体の背中から腹式呼吸を補助する腹式呼吸補助具を提供する。【解決手段】腹式呼吸補助具は、間隔を開けて配置される背当てパッド１と、背当てパッド１を脱着自在に保持するシート部材２からなる。背当てパッド１を使用する人のみぞおちの両側付近からその下部を背中側から加圧する位置になるようシート部材２上に止着した後、その上に仰向けに寝て腹式呼吸を行う。【選択図】図１
0003231340.tif 000002
【実用新案登録請求の範囲】
【請求項１】
間隔を開けて配置される背当てパッドと、該背当てパッドが脱着自在に保持されるシート部材からなることを特徴とする腹式呼吸補助具。
【請求項２】
前記背当てパッドの厚さを調整自在としたことを特徴とする請求項１に記載の腹式呼吸補助具。
【考案の詳細な説明】
【技術分野】
【０００１】
本考案は、腹式呼吸を容易かつ効果的に行うための腹式呼吸補助具に関する。
【０００２】
また、気管支喘息や慢性閉塞性肺疾患（ＣＯＰＤ）を持つ患者の睡眠時の呼吸困難を軽減することができる睡眠呼吸治療効果を有することを特徴とする。
【背景技術】
【０００３】
肺は肋骨と横隔膜に囲まれた閉鎖空間（胸郭）の中にあり、肺自体は自ら膨らんだりしぼんだりすることができないので、呼吸の際にはこの胸郭を膨らませたり小さくすることにより肺が受動的に動いて呼吸ができるようになっている。
【０００４】
呼吸法には大きく二つの方法がある。一つは肋骨の間の筋肉（肋間筋）を主に作用させ肋骨同士の間隔を変化させて呼吸をする胸式呼吸であり、もう一つは肺の下の横隔膜を下に下げて胸郭を膨らませる腹式呼吸である。後者の方がはるかに多くの空気を吸い込むことができ、血液中の酸素量が増加して代謝や血流が向上して心身の健康に役立つことが知られている。しかしながら、習得すること及び効果的に行うことには練習を必要とした。
【０００５】
従来、腹式呼吸を効果的に行う補助具として、腹部に対して巻回可能に形成するベルトの裏面にエアバッグを設け、同エアバッグよりエアホースを延出させる一方、一定間隔毎に空気を送排気するエアコントロール装置を設け、同エアコントロール装置に前記エアホースの先端を接続して成る腹式呼吸促進具が提案されている（特許文献１）。
【０００６】
前記呼吸促進具は、空気により膨張するエアバッグで腹部を間欠的に加圧することにより、横隔膜の上動を助けて腹式呼吸を積極的に行わせることができるとしている。
【０００７】
その他、腹部に巻き付けるベルトにバイブレータと操作パネルを設け、使用者が使用時にみずから動作を継続できる駆動構造を備えた腹式呼吸補助装置が提案されている（特許文献２）。
【先行技術文献】
【特許文献】
【０００８】
【特許文献１】公開実用新案昭６４−６９４４号公報
【特許文献２】実用新案登録第３１８７６１９号公報
【考案の概要】
【考案が解決しようとする課題】
【０００９】
前記従来の腹式呼吸促進具及び腹式呼吸補助装置はいずれも操作機器を有し、腹部に巻き付けて腹部を加圧等して横隔膜を変動させるものである。
【００１０】
本考案の腹式呼吸補助具は、身体の背中から腹式呼吸を補助するものであり、操作機器を準備する必要がなく、単純な器具を使用して仰向けの楽な姿勢で腹式呼吸を補助するものである。
【課題を解決するための手段】
【００１１】
前記課題を解決するため、本考案の腹式呼吸補助具は、間隔を開けて配置された背当てパッドと、該背当てパッドを着脱自在に保持するシート部材からなることを特徴とする（請求項１）。
【００１２】
前記構成の本考案は、シート部材上に使用する人の身体に合わせて背中の適所を加圧する背当てパッドを、自然に腹式呼吸ができるように間隔を開けて配置し、その上に仰向けに寝ることにより腹式呼吸が容易かつ効果的に行われるものである。
【００１３】
本考案の実施の一形態は、背当てパッドの厚さを調整自在としたことを特徴とする（請求項２）。この実施の一形態によれば、使用する人の体に合わせて背当てパッドの厚さを調整して腹式呼吸を効果的に行うことができる。
【考案の効果】
【００１４】
本考案によれば、複雑な機器を準備及び操作することなく、単純な器具を使用して仰向きの楽な状態で身体の背中から腹式呼吸を補助することができるほか、容易に腹式呼吸が実感できるため、腹式呼吸の練習にも役立つ。就寝時など仰向け（仰臥位）になると、重力に従い胸郭が前後に扁平となるため、呼吸が制限されてしまう。このため胸式呼吸では筋力の弱い肋間筋を、起きている時よりもさらに働かせなければならないが、健常者では肺の膨らむ力（可塑性）が高いためそう問題にはならない。しかし、気管支喘息やＣＯＰＤを持つ患者では肺の可塑性が低いため、肋間筋の負担が大きくなり、睡眠時の疲労感、呼吸困難が強くなり、患者は上体を起こして睡眠をとらなければならない（起坐呼吸）。
【００１５】
就寝時に本補助具を使用すれば、背あてパッドが肋骨を両側後方から圧迫することにより胸郭を前後に立体的に矯正することができ、胸郭自体の体積を増大することで空気の取り込み量が増え、また、胸郭を適度に固定するために自然に腹式呼吸を促進することができ、睡眠時の呼吸困難を軽減することができる。この補助具は患者の普段の睡眠時だけでなく軽度の発作時にも使用することができるため、夜間の気管支拡張剤の使用も軽減させることも期待できる。
【図面の簡単な説明】
【００１６】
【図１】本考案の一実施例の腹式呼吸補助具の斜視図である。
【図２】背当てパッドの一実施例を示す断面図である。
【図３】本考案の腹式呼吸補助具の使用状態を示す説明図である。
【考案を実施するための形態】
【００１７】
以下に、図面を参考に本考案の一実施例を説明する。
【００１８】
図１は本考案の腹式呼吸補助具の斜視図であり、図中、１，１は間隔を開けて配置された背当てパッドであり、２は該背当てパッド１，１を着脱自在に保持するシート部材である。
【００１９】
前記背当てパッド１，１は、背中に当てて仰向けに寝た場合に背中の適所を加圧する厚さに形成される。例えば、図２に示すように芯材１ａと該芯材１ａを覆う包材１ｂからなる。図中、３は下面に設けた面ファスナーである。
【００２０】
前記背当てパッド１，１は使用する人の身体に合わせて厚さの異なるものを複数準備することのほか、適数を重ね合わせて厚さを調整できる背当てパッドを準備してもよい。また、背当てパッド1，１の形状は問わないが両端に丸みを持たせることが好ましい。具体的には、身体のみぞおちの両側付近からその下部の背中を加圧する幅及び長さに形成される。
【００２１】
前記シート部材２は、いわゆる敷物であり、金属板状のものではなくプラスチックのようなやや柔らかいものが好ましく、前記背当てパッド１，１を着脱自在に保持する構成を有する。そのため、図１実施例では、その左右方向に、前記背当てパッド１，１の下面に設けた面ファスナー３と係合止着する面ファスナー４が設けられている。図中、５は背当てパッド１，１の間隔数値を表す目盛りである。なお、シート部材２に対する背当てパッド１，１を着脱自在にする構造はその他の仮止め手段でもよい。
【００２２】
つぎに、本考案の腹式呼吸補助具の使用方法を説明する。
【００２３】
図３は使用状態を示す説明図である。まず、図１に示した背当てパッド１，１の間隔を図３に示すように使用する人の身体のみぞおちの両側付近からその下部を背中側から加圧する位置になるように予め調整してシート部材２上に止着する。すなわち、仰向けに寝た際に胸郭背中側の下部を両側から前方へ押し出す形になるように、自然に腹式呼吸ができる幅に背当てパッド１，１をシート部材２上に止着する。
【００２４】
前記の通り背当てパッド１，１の間隔を調整した後、その上に仰向けに寝て腹式呼吸を行うものである。したがって、きわめて楽な姿勢で腹式呼吸を行うことができる。
【符号の説明】
【００２５】
１，１  背当てパッド
２    シート部材
３  面ファスナー
４  面ファスナー
【図１】
0003231340.tif 000003
【図２】
0003231340.tif 000004
【図３】
0003231340.tif 000005
【手続補正書】
【提出日】令和3年1月13日(2021.1.13)
【手続補正１】
【補正対象書類名】実用新案登録請求の範囲
【補正対象項目名】全文
【補正方法】変更
【補正の内容】
【実用新案登録請求の範囲】
【請求項１】
間隔を開けて配置される背当てパッドと、該背当てパッドを脱着自在に保持するシート部材と、からなることを特徴とする腹式呼吸補助具
【請求項２】
前記背当てパッドの厚さが調整自在であることを特徴とする請求項１に記載の腹式呼吸補助具。
【手続補正２】
【補正対象書類名】明細書
【補正対象項目名】００１１
【補正方法】変更
【補正の内容】
【００１１】
前記課題を解決するため、本考案の腹式呼吸補助具は、間隔を開けて配置される背当てパッドと、該背当てパッドを脱着自在に保持するシート部材と、からなることを特徴とする（請求項１）。
【手続補正３】
【補正対象書類名】明細書
【補正対象項目名】００１３
【補正方法】変更
【補正の内容】
【００１３】
本考案の実施の一形態は、背当てパッドの厚さが調整自在であることを特徴とする（請求項２）。この実施の一形態によれば、使用する人の体に合わせてパッドの厚さを調整して腹式呼吸を効果的に行うことができる。
【手続補正４】
【補正対象書類名】明細書
【補正対象項目名】００１８
【補正方法】変更
【補正の内容】
【００１８】
図１は本考案の腹式呼吸補助具の斜視図であり、図中、１，１は間隔を開けて配置された背当てパッドであり、２は該背当てパッド１，１を脱着自在に保持するシート部材である。
【手続補正５】
【補正対象書類名】明細書
【補正対象項目名】００２１
【補正方法】変更
【補正の内容】
【００２１】
前記シート部材２は、いわゆる敷物であり、金属板状のものではなくプラスチックのようなやや柔らかいものが好ましく、前記背当てパッド１，１を脱着自在に保持する構成を有する。そのため、図１実施例では、その左右方向に、前記背当てパッド１，１の下面に設けた面ファスナー３と係合止着する面ファスナー４が設けられている。図中、５は背当てパッド１，１の間隔数値を表す目盛りである。なお、シート部材２に対する背当てパッド１，１を脱着自在にする構造はその他の仮止め手段でもよい。